(57)【要約】【課題】屋根裏を換気できるとともに、火災時には換気通路を遮断して火炎や熱風などが屋根裏に侵入するのを防止でき、しかも軒先を見栄えよく処理できる鼻隠し化粧板を提供する。【解決手段】鼻隠し４の前面を覆う前面被覆部１１と、底面を覆うとともにその下方に中空状の換気室３を形成する底面被覆部１３を有する鼻隠し化粧板１の取付構造において、前面被覆部１１の下方に軒先前方へ突出する庇状の突出部１２を設け、この突出部１２の下方の換気室３の前壁面１３１に複数の通気孔３１を形成し、底面被覆部１３の裏面側の上端から延出した後端支持部１５と鼻隠し４の底面４２との間に軒裏通路３２を設けて、軒樋８の後側壁と換気室３の前壁面１３１との間に下向きに開口した通気経路を形成する。【選択図】図１
2010031645.tif 000002
【特許請求の範囲】
【請求項１】
鼻隠し（４）の前面を覆う前面被覆部（１１）と、鼻隠し（４）の底面を覆うとともにその下方に中空状の換気室（３）を形成する底面被覆部（１３）を有する鼻隠し化粧板（１）の取付構造において、
前記前面被覆部（１１）の下方に軒先前方へ突出する庇状の突出部（１２）を設け、この突出部（１２）の下方の換気室（３）の前壁面（１３１）に複数の通気孔（３１）を形成するとともに、前記底面被覆部（１３）の裏面側の上端から家屋側に斜め上方へ延出した後端支持部（１５）と鼻隠し（４）の底面（４２）との間に軒裏通路（３２）を設けることにより、
前記前面被覆部（１１）に取り付けた軒樋吊具（７）で支持された軒樋（８）の後側壁と前記換気室（３）の前壁面（１３１）との間であって前記庇状の突出部（１２）の下側に、下向きに開口した通気経路を形成した構成を有することを特徴とする鼻隠し化粧板の取付構造。
【発明の詳細な説明】
【技術分野】
【０００１】
本発明は、屋根裏を換気できるとともに、火災時には通気経路を遮断して火炎や熱風などが屋根裏に進入するのを防止できる鼻隠し化粧板の取付構造に関する。
【背景技術】
【０００２】
通常、鼻隠しは軒先に張り出した垂木の端部を隠すために取り付けられるが、この鼻隠しによって屋根裏への空気の流通が遮断されることがある。
そこで、軒天井に通気孔を設けたり、通気孔が設けられた鼻隠し化粧板で鼻隠しの底面を覆ったりすることが行われているが、火災が発生したときに火炎や熱風が通気孔から屋根裏に進入して二次火災を起こすことがあった（例えば、特許文献１参照）。
【０００３】
火災時に火炎や熱風が屋根裏に進入するのを防止するため、例えば図４に示すように、鼻隠し９１の後面側と軒天井９２との間に上・下部材からなる換気部材９３を取り付け、上部材に形成した換気口９３ａと下部材に形成した通気孔９３ｂとが連通する通気経路に加熱発泡材９４を設置し、火災時に通気孔９３ｂから進入した火炎や熱風で加熱発泡材９４を膨張させて通気経路を遮断するようにした構成のものが知られている（例えば、特許文献２参照）。
【０００４】
しかしながら、この図４に示した構成のものは、通気経路の下面に加熱発泡材９４が設置されているため、通気孔９３ｂから浸入した雨水によって加熱発泡材９４が水浸しとなったり、劣化して火災時に発泡しないという問題が発生することがある。
また、この換気部材９３を軒先に取り付けたとき、鼻隠し９１は換気部材９３の前面側から露出して見えるため、軒先を下から見上げたとき頗る見栄えが悪いという問題がある。
【０００５】
この問題を解決するため、本出願人は、換気室の軒天側の裏壁面に通気孔を穿設するとともに、換気室の底壁面から遮蔽板を立ち上げ、通気孔と対向する遮蔽板の上部に加熱発泡材を装着したものを提案した。
しかしながら、この構成では雨水を伴った空気が通気孔から換気室内に進入したとき、直接加熱発泡材に雨水があたることによって水浸しになることがあり、火災時に加熱発泡材が機能しないという新たな問題が提起されるに至った（例えば、特許文献３参照）。
【先行技術文献】
【特許文献】
【０００６】
【特許文献１】特開平７−２５９２８２号公報
【特許文献２】特開平９−２０３１３４号公報
【特許文献３】特開２００７−２０４９７０号公報
【発明の概要】
【発明が解決しようとする課題】
【０００７】
本発明は従来技術の有するこのような問題点に鑑み、屋根裏への換気が十分に行えるようにするとともに、雨水が通気孔から通気経路に浸入し難い構造とし、たとえ通気通路に雨水が浸入しても加熱発泡材が水浸しになったり、劣化する虞がなく、火災時には膨張した加熱発泡材で通気経路が完全に遮断され、しかも軒先を下から見上げたときに見栄えのよい構成とすることを課題とする。
【課題を解決するための手段】
【０００８】
前記課題を解決するため本発明は、鼻隠しの前面を覆う前面被覆部と、鼻隠しの底面を覆うとともにその下方に中空状の換気室を形成する底面被覆部を有する鼻隠し化粧板の取付構造において、前記前面被覆部の下方に軒先前方へ突出する庇状の突出部を設け、この突出部の下方の換気室の前壁面に複数の通気孔を形成するとともに、前記底面被覆部の裏面側の上端から家屋側に斜め上方へ延出した後端支持部と鼻隠しの底面との間に軒裏通路を設けることにより、前記前面被覆部に取り付けた軒樋吊具で支持された軒樋の後側壁と前記換気室の前壁面との間であって前記庇状の突出部の下側に、下向きに開口した通気経路を形成した構成を有することを特徴とする。
【０００９】
また、前記換気室は、前面被覆部の裏側から垂下した遮蔽板で換気室内を前後に二分し、遮蔽板の下方に通気経路を形成し、かつ遮蔽板の前面と対向する換気室の前壁面に複数の通気孔を穿設するとともに、遮蔽板の裏面側に加熱発泡材を装着したことを特徴とする。
本発明の鼻隠し化粧板は、鼻隠しの前面を覆う前面被覆部と、鼻隠しの底面を覆うとともにその下方に中空状の換気室を形成する底面被覆部からなり、換気室は前面被覆部の裏側から垂下する遮蔽板で前後に二分し、遮蔽板の下方に空気の通気経路が形成される。
そして、換気室の前壁面には、空気の流入口となる複数の通気孔が穿設されているため、該通気孔から流入した空気は遮蔽板で遮られてから遮蔽板の下方を潜り抜け、遮蔽板の裏側に回り込んで上昇してから屋根裏に流入することにより換気が行われる。
【００１０】
このような構成とすることで、雨水が換気室へ浸入し難くなり、加熱発泡材は換気室を二分する遮蔽板の裏側に装着されているため、雨水を伴った空気が換気室に流入しても当該加熱発泡材が水浸しになることはない。
また、火災時に火炎や熱風が通気経路に進入したときには、加熱発泡材が膨張して遮蔽板の裏側の通気経路が完全に遮断されることにより、屋根裏への火炎や熱風の進入が防止される。
なお、加熱発泡材は遮蔽板の裏面に直接装着することができるが、遮蔽板と対向する換気室の裏面側に装着しても同様の効果が期待できる。
【００１１】
本発明の鼻隠し化粧板は、空気の流入口となる通気孔が換気室の前壁面に設けられているため、軒先を下から見上げても通気孔が目に触れることはなく、鼻隠しの前面及び底面が鼻隠し化粧板で一体的に覆われることと相俟って、軒先下面をすっきりとした状態で、見栄えよく処理することができる。
【００１２】
また、換気室を二分する遮蔽板の上端部に鼻隠しの底面が係止される係止片を設けることができる。
【００１３】
このような構成とすることで、鼻隠し化粧板を鼻隠しに取り付けるとき、係止片を鼻隠しの底面に押し当てるだけで鼻隠し化粧板の高さ調整や位置合わせが簡単に行え、足場の不安定な高所での鼻隠し化粧板の位置決め作業やビスや釘などの支持金具の打ち込み作業が簡単かつ確実に行うことができる。
【発明の効果】
【００１４】
本発明の鼻隠し化粧板は、屋根裏への通気を良好にして十分な換気が行えるとともに、火災時には膨張した加熱発泡材が通気経路を遮断するため、火炎や熱風が屋根裏に進入するのを防止できる。
また、本発明の鼻隠し化粧板は鼻隠しの前面及び底面を一体的に覆うため、軒先下面がすっきりとしたイメージとなり、軒先を見栄えよく処理することができる。
【図面の簡単な説明】
【００１５】
【図１】本発明の一実施形態の鼻隠し化粧板を鼻隠しに取り付けた状態を示す断面図である。
【図２ａ】図１の鼻隠し化粧板のＩＩ−ＩＩ矢視図である。
【図２ｂ】図２ａの別の態様を示すＩＩ−ＩＩ矢視図である。
【図３】図１の鼻隠し化粧板を鼻隠しに取り付けて屋根の軒先を構成した状態を示す断面図である。
【図４】従来の換気部材を軒先に取り付けた状態を示す断面図である。
【発明を実施するための形態】
【００１６】
本発明の好適な一実施形態を図面に基づいて説明する。
図１は本発明の一実施形態の鼻隠し化粧板を鼻隠しに取り付けた状態を示す断面図、図２ａは図１の鼻隠し化粧板のＩＩ−ＩＩ矢視図、図２ｂは図２ａの別の態様を示すＩＩ−ＩＩ矢視図、図３は図１の鼻隠し化粧板を鼻隠しに取り付けて屋根の軒先を構成した状態を示す断面図である。
【００１７】
本発明の鼻隠し化粧板１は、例えば表面を塩化ビニル樹脂で覆うなどの耐蝕加工が施された被覆鋼板や、亜鉛鋼板などの耐火性を有する長尺の鋼板をベンダーなどで折り曲げて形成したものであって、鼻隠し４の前面４１を覆う前面被覆部１１の下方に軒先前方に突出する庇状の突出部１２が形成され、該突出部１２の下方に鼻隠し４の底面４２を覆うとともに中空状の換気室３を形成する底面被覆部１３が形成されている。
また、前面被覆部１１の上端は、当該前面被覆部１１に対して直角に軒先前方へ折れ曲がってから更に斜め下方へ屈曲しており、その前端支持部１４が後述する水切り６の折返部６１に係合するようになっている。
【００１８】
図１に示すように、鼻隠し４の前面４１はほぼ垂直で、その底面４２は垂木５の底面５１とほぼ同角度で傾斜しており、鼻隠し４の底面４２は垂木５の底面５１より上方に位置して設けられている。
本発明の鼻隠し化粧板１は、前面被覆部１１が鼻隠し４の前面４１を覆ってビスや釘などの支持金具Ｐで打ち込み固定されるものであって、前面被覆部１１の下方に折り曲げ形成された底面被覆部１３が鼻隠し４の底面４２を覆うとともに中空状の換気室３を形成し、底面被覆部１３の裏壁面１３３の上端から家屋側へ斜め上方に延出した後端支持部１５が垂木５の底面５１にビスや釘などの支持金具Ｐで打ち込み固定される。
【００１９】
このようにして鼻隠し化粧板１の後端支持部１５が垂木５の底面５１に固定されると、後端支持部１５と鼻隠し４の底面４２との間に軒裏通路３２が形成され、該軒裏通路３２が屋根裏に連通して換気が行われる。
【００２０】
換気室３は、前面被覆部１１の下方を折り曲げて前壁面１３１、底壁面１３２及び裏壁面１３３によって囲まれた中空状となっていればよく、換気室３は、矩形状、略Ｕ字状、台形状、湾曲状等に形成できる。
遮蔽板２は、前面被覆部１１の裏面側から形成され、換気孔３１から屋根裏が見えないように、換気室３を前後にニ分する配置すればよく、遮蔽板２の下方が通気経路となって前後が連通している。
遮蔽板２の配置は、換気室３の形状が矩形状あるいは略Ｕ字状であれば、遮蔽板２を前面被覆部１１の裏面より垂下させて配置すればよく、また、換気室３の前壁面１３１が換気室側に傾斜した台形状であれば、前面被覆部１１の裏面より前壁面１３１と略並行になるように配置すればよい。
【００２１】
遮蔽板２の前面と対向する換気室３の前壁面１３１には、空気の流入口となる複数の通気孔３１が穿設されている。
図２ａに示すように、通気孔３１は上下２段に亘って設けられており、上下方向に長い縦長の通気孔３１が前壁面３１の長手方向（水平方向）に沿って所定の間隔で多数列設されている。
また、図２ｂに示すように通気孔３１は１段であってもよいし、多段に設けてもよい。
【００２２】
換気室３を前後に二分する遮蔽板２の下端は裏面側に折り返されて断面Ｕ字状の支持部２２が形成されており、該支持部２２に長尺帯状の加熱発泡材２０が装着されている。
加熱発泡材２０としては、グラファイト系熱膨張材（インツメックス社製）、ブチル系やエポキシ系の熱膨張材が好適に使用できるが、これ以外にも火災時に火炎や熱風を受けたとき体積膨張して遮蔽板２の裏側の通気通路を遮断する機能を有するものならいかなるものでも使用できる。
【００２３】
遮蔽板２の上部は前面被覆部１１の裏側にリベットなどで固定されており、その上端部には鼻隠し４の底面４２に沿う形状に折れ曲がった係止片２１が設けられている。
この係止片２１は鼻隠し化粧板１を鼻隠し４に固定する際に位置決めとなるものであって、鼻隠し化粧板１の前面被覆部１１を鼻隠し４の前面４１に押し付けながら係止片２１を鼻隠し４の底面４２に係止させるだけで鼻隠し化粧板１を所定の取付位置にセットすることができる。
【００２４】
次に、この鼻隠し化粧板１を軒先に取り付ける際の作業手順を説明する。
図１に示すように、まず鼻隠し化粧板１の前面被覆部１１を鼻隠し４の前面４１に固定する。
このとき、前面被覆部１１の裏面を鼻隠し４の前面４１にあてがい、前端支持部１４を屋根の野路板に固定されている水切り６の折返部６１に係合させながら、前面被覆部１１の裏側に設けられている係止片２１を鼻隠し４の底面４２に押し当てつつ、ビスや釘などの支持金具Ｐを前面被覆部１１から鼻隠し４に打ち込む。このようにすると、鼻隠し化粧板１の高さ調整や位置合わせが簡単に行え、足場の不安定な高所でも鼻隠し化粧板１の取り付け作業が簡単かつ確実に行える。
次いで、鼻隠し化粧板１の後端支持部１５にビスや釘などの支持金具Ｐを打ち込んで垂木５の底面５１に固定することにより、鼻隠し４の底面４２と後端支持部１５との間に屋根裏に通じる軒裏通路３２が形成される。
【００２５】
そこで、図３に示すように、鼻隠し化粧板１の前面被覆部１１に軒先に沿って所定間隔に軒樋吊具７を取り付け、該軒樋吊具７の耳把持部に軒樋８の耳部を係止させて支持する。
このとき、軒樋吊具７の上方に突出した支持部材７１に通水孔を有する軒樋カバー８１を固定して軒樋８の開口部を覆うことにより、落ち葉などが軒樋８内に侵入するのを防止することができる。
図中の符号９は軒天井であって、鼻隠し化粧板１の裏壁面１３３に形成した段部１３４に軒天井９の端部を載せて取り付けることにより、軒樋８の取付と軒先回りの施工作業が完了する。
【００２６】
かくして、鼻隠し化粧板１で鼻隠し４の前面４１及び底面４２が一体的に覆われ、鼻隠し化粧板１の軒先側に軒樋８が設置される。
すなわち、鼻隠し化粧板１の前面被覆部１１で鼻隠し４の前面４１が覆われ、底面被覆部１３で鼻隠し４の底面４２が覆われるとともに、空気の通気経路を構成する換気室３が形成され、換気室３の前壁面１３１と軒樋８の後側壁との間に下向きに開口した通気経路が形成される。
そして、換気室３は前面被覆部１１の裏側から垂下する遮蔽板２で前後に二分し、かつ遮蔽板２の下方に空気の通気経路が形成されるため、換気室３の前壁面１３１に穿設された通気孔３１から流入した空気は遮蔽板２の下方を潜り抜け、遮蔽板２の裏側に回り込んでから上昇することにより屋根裏の換気が行われる。
【００２７】
通常、屋根裏の換気は以上のようにして行われるか、換気室３の前壁面１３１と軒樋８の後側壁との間は下向きに開口した通気経路となっているため、雨水は換気室へ浸入し難くなり、しかも加熱発泡材２０は換気室３を二分する遮蔽板２の裏側に装着されているため、雨水を伴った空気が換気室３に流入しても当該加熱発泡材２０が水浸しになることはない。
また、火災時に火炎や熱風が通気経路に進入したときには、加熱発泡材２０が膨張して遮蔽板２の裏側の通気経路を遮断するため、火炎や熱風などが屋根裏へ侵入するのを完全に防止することができる。
【００２８】
なお、図示した鼻隠し化粧板１は本発明の実施形態の一例を示すものであり、家屋の軒先の構成や、軒樋の形状などに応じて適宜な形状とすることができる。また、加熱発泡材２０は換気室３を形成する裏壁面１３３に装着することもできる。
【符号の説明】
【００２９】
１ 鼻隠し化粧板、１１ 前面被覆部、１２ 突出部、１３ 底面被覆部、１３１ 前壁面、１３２ 底壁面、１３３ 裏壁面、１４ 前端支持部、１５ 後端支持部、２ 遮蔽板、２０ 加熱発泡材、２１ 係止片、２２ 支持部、３ 換気室、３１ 通気孔、４ 鼻隠し、４１ 前面、４２ 底面、５ 垂木、５１ 底面、６ 水切り、６１ 折返部、７ 軒樋吊具、７１ 支持部材 、８ 軒樋、８１ 軒樋カバー、９ 軒天井、 Ｐ 支持金具
【図１】
2010031645.tif 000003
【図２ａ】
2010031645.tif 000004
【図２ｂ】
2010031645.tif 000005
【図３】
2010031645.tif 000006
【図４】
2010031645.tif 000007